(57)【要約】【課題】  個人情報の漏れを少なく抑えることができるＱＲコードを利用した情報管理システムを提供すること。【解決手段】  ＱＲコードを撮影するためのカメラ手段９０を備えた携帯情報端末装置２と、携帯情報端末装置２に内蔵されたＱＲコードリーダ手段９６と、ＱＲデータに対応する所定情報が登録され、携帯情報端末装置２と通信接続されるサーバー装置４と、所定情報を入力してＱＲコードのＱＲデータと関連付けてサーバー装置４に登録するための情報端末装置６と、を備えた情報管理システム。サーバー装置４は、所定情報が登録されたデータ記憶手段５４と、データ記憶手段５４に登録された所定情報を読み出すためのデータ読出し手段５８と、データ記憶手段５４に登録された所定情報を削除（又は読出し禁止）するためのデータ削除（又は読出し禁止）手段６０と、を含んでいる。【選択図】  図６
2015232789.tif 000002
【特許請求の範囲】
【請求項１】
ＱＲコードを施す対象物と、前記ＱＲコードを撮影するためのカメラ手段を備えた携帯情報端末装置と、前記携帯情報端末装置に内蔵されたＱＲコードリーダ手段と、前記ＱＲコードに含まれたＱＲデータに対応する所定情報が登録され、前記携帯情報端末装置と通信接続されるサーバー装置と、前記所定情報を入力して前記ＱＲコードに含まれる前記ＱＲデータと関連付けて前記サーバー装置に登録するための情報端末装置と、を備え、
前記サーバー装置は、前記所定情報が登録されたデータ記憶手段と、前記データ記憶手段に登録された前記所定情報を読み出すためのデータ読出し手段と、前記データ記憶手段に登録された前記所定情報を削除又は読出し禁止するためのデータ削除又は読出し禁止手段と、を含み、
前記情報端末装置は、前記サーバー装置に登録する前記所定情報を作成するための登録データ作成手段と、前記ＱＲデータを作成するためのＱＲデータ作成手段と、前記所定情報と前記ＱＲデータとを関連付けるデータ関連付け手段と、前記ＱＲデータを前記ＱＲコードに変換するためのＱＲコード変換手段と、を含むことを特徴とするＱＲコードを利用した情報管理システム。
【請求項２】
前記サーバー装置の前記データ削除又は読出し禁止手段は、特定ＱＲデータに対応する特定所定情報の読出しが所定回数行われると前記データ記憶手段から前記特定所定情報を削除又は読出しを禁止することを特徴とする請求項１に記載のＱＲコードを利用した情報管理システム。
【請求項３】
前記ＱＲデータは、グループを特定するためのグループ情報及び個人を特定するための個人情報から構成される第１所定情報と関連付けられる第１ＱＲデータと、前記グループを特定するための前記グループ情報から構成される第２所定情報と関連付けられる第２ＱＲデータとを含み、前記サーバー装置の前記データ削除又は読出し禁止手段は、前記第１ＱＲデータに対応する第１所定情報の読出しが所定回数行われると前記データ記憶手段から前記第１所定情報の前記個人情報を削除又は読出し禁止することを特徴とする請求項１に記載のＱＲコードを利用した情報管理システム。
【請求項４】
前記ＱＲコードはシート状物に印刷され、前記シート状物は、所要の通りに切断して又は細く丸めて携帯物に収容されることを特徴とする請求項１〜３のいずれかに記載のＱＲコードを利用した情報管理システム。
【発明の詳細な説明】
【技術分野】
【０００１】
本発明は、マトリックスス型二次元コード（以下、「ＱＲコード（登録商標）」という）を利用して個人情報などの各種情報を管理する情報管理システムに関する。
【背景技術】
【０００２】
ＱＲコードを利用して情報を管理するシステムとして、ＱＲコードが印刷されたカード、チップなどを利用するものが知られている（例えば、特許文献１参照）。このシステムでは、ＱＲコードに含まれる二次元コード用データ（以下、「ＱＲデータ」という）に電話番号、メールアドレスなどの個人情報が含まれ、携帯情報端末装置のカメラ手段でもってＱＲコーを取り込んでＱＲデータに含まれた電話番号、メールアドレスを読み取り、例えばＯＲコードの利用者に身元確認などのために連絡するように用いられる。
【０００３】
更に説明すると、例えば、カメラ手段を備えた携帯情報端末装置（例えば、スマートホン、タブレットなど）を利用し、この携帯情報端末装置にＱＲコードリーダ手段を内蔵させる（具体的には、ＱＲコードを読み取るためのソフトウェアをインストールする）。そして、カード、チップなどに付されたＱＲコードをカメラ手段で撮影して取り込み、この撮影した画像情報をＱＲコードリーダ手段（ＱＲ解析ソフトウェア）で解析することにより、携帯情報端末装置の表示装置にＱＲデータとして書き込まれた電話番号、メールアドレスを表示させることができる。
【０００４】
このようなＱＲコードを利用した情報管理システムは、例えば、徘徊老人の確認するためのシステム、ペット動物（犬、猫など）を確認するためのシステムなどに適用することができ、この場合、徘徊老人（ペット動物など）にＱＲコードを付したカード、チップなどを持たせ、第三者が徘徊老人（ペット動物など）を見つけたときに、携帯情報端末装置のカメラ手段でＱＲコードを撮影することにより、徘徊老人（ペット動物など）の連絡先（電話番号、メールアドレス）を知ることができる。そして、携帯情報端末装置に表示された連絡先に連絡することにより、連絡を受けた管理者は、徘徊老人（ペット動物など）の居場所を知って引き取ることができる。
【先行技術文献】
【特許文献】
【０００５】
【特許文献１】特開２００７−１０９０４８号公報
【発明の概要】
【発明が解決しようとする課題】
【０００６】
しかし、このような情報管理システムでは、次の通りの問題がある。即ち、ＱＲコードに含ませるＱＲデータに連絡先の電話番号、メールアドレスなどが含まれているために、カード、チップに施されたＱＲコードを携帯情報端末装置のカメラ手段で撮影することにより、連絡先の電話番号、メールアドレスなどの個人情報が携帯情報端末装置の表示画面に表示され、個人情報が漏洩し易いという問題がある。
【０００７】
本発明の目的は、個人情報の漏れを少なく抑えることができるＱＲコードを利用した情報管理システムを提供することである。
【課題を解決するための手段】
【０００８】
本発明の請求項１に記載のＱＲコードを利用した情報管理システムは、ＱＲコードを施す対象物と、前記ＱＲコードを撮影するためのカメラ手段を備えた携帯情報端末装置と、前記携帯情報端末装置に内蔵されたＱＲコードリーダ手段と、前記ＱＲコードに含まれたＱＲデータに対応する所定情報が登録され、前記携帯情報端末装置と通信接続されるサーバー装置と、前記所定情報を入力して前記ＱＲコードに含まれる前記ＱＲデータと関連付けて前記サーバー装置に登録するための情報端末装置と、を備え、
前記サーバー装置は、前記所定情報が登録されたデータ記憶手段と、前記データ記憶手段に登録された前記所定情報を読み出すためのデータ読出し手段と、前記データ記憶手段に登録された前記所定情報を削除又は読出し禁止するためのデータ削除又は読出し禁止手段と、を含み、
前記情報端末装置は、前記サーバー装置に登録する前記所定情報を作成するための登録データ作成手段と、前記ＱＲデータを作成するためのＱＲデータ作成手段と、前記所定情報と前記ＱＲデータとを関連付けるデータ関連付け手段と、前記ＱＲデータを前記ＱＲコードに変換するためのＱＲコード変換手段と、を含むことを特徴とする。
【０００９】
また、本発明の請求項２に記載のＱＲコードを利用した情報管理システムでは、前記サーバー装置の前記データ削除又は読出し禁止手段は、特定ＱＲデータに対応する特定所定情報の読出しが所定回数行われると前記データ記憶手段から前記特定所定情報を削除又は読出しを禁止することを特徴とする。
【００１０】
また、本発明の請求項３に記載のＱＲコードを利用した情報管理システムでは、前記ＱＲデータは、グループを特定するためのグループ情報及び個人を特定するための個人情報から構成される第１所定情報と関連付けられる第１ＱＲデータと、前記グループを特定するための前記グループ情報から構成される第２所定情報と関連付けられる第２ＱＲデータとを含み、前記サーバー装置の前記データ削除又は読出し禁止手段は、前記第１ＱＲデータに対応する第１所定情報の読出しが所定回数行われると前記データ記憶手段から前記第１所定情報の前記個人情報を削除又は読出し禁止することを特徴とする。
【００１１】
更に、本発明の請求項４に記載のＱＲコードを利用した情報管理システムでは、前記ＱＲコードはシート状物に印刷され、前記シート状物は、所要の通りに切断して又は細く丸めて携帯物に収容されることを特徴とする。
【発明の効果】
【００１２】
本発明の請求項１に記載のＱＲコードを利用した情報管理システムによれば、携帯情報端末装置はＱＲコードリーダ手段を内蔵し、サーバー装置には、ＱＲコードに含まれたＱＲデータに関連付けられた所定情報が登録されているので、ＱＲコードリーダ手段によりＱＲデータを読み取ってもそのデータには所定情報（例えば、個人情報など）が含まれておらず、これによって所定情報の漏えいを抑えることができる。また、サーバー装置はデータ記憶手段に登録された所定情報を削除又は読出し禁止するためのデータ削除又は読出し禁止手段を含んでいるので、例えばＱＲコードを施した対象物を紛失したときなどにおいては、このデータ削除又は読出し禁止手段により、紛失した対象物のＱＲコードに対応する所定情報を削除又は読出し禁止することができ、このように削除又は読出し禁止にすることによって、対象物の紛失による所定情報の漏えいを防止することができる。
【００１３】
また、本発明の請求項２に記載のＱＲコードを利用した情報管理システムによれば、サーバー装置のデータ削除又は読出し禁止手段は、特定ＱＲデータに対応する特定所定情報の読出しが所定回数行われるとこの特定所定情報を削除又は読出し禁止するので、特定ＱＲコードを多数回にわたって取り込んで特定所定情報を読み出すことができなくなり、これによって、所定情報の多数回の読出しによる所定情報の広がりを抑えることができる。
【００１４】
また、本発明の請求項３に記載のＱＲコードを利用した情報管理システムによれば、第１ＱＲデータは、グループを特定するためのグループ情報及び個人を特定するための個人情報から構成される第１所定情報と関連付けられ、この第１ＱＲデータに対応する第１所定情報が所定回数読み出されると、データ削除又は読出し禁止手段は、データ記憶手段から第１所定情報の個人情報を削除又は読出し禁止するので、第１ＱＲデータを多数回利用して第１所定情報の個人情報を読み出すことができなくなり、これによって、個人情報を含む第１所定情報の多数回読出しによる個人情報の広がりを抑えることができる。
【００１５】
更に、本発明の請求項４に記載のＱＲコードを利用した情報管理システムによれば、ＱＲコードはシート状物に印刷され、このシート状物は、所要の通りに切断して又は細く丸めて携帯物に収容されるので、ＱＲコードを施した対象物を携帯物にコンパクトに収容することができる。例えば、所要の通りに切断することにより、ボタンタイプの容器（例えば、ボタンとして使用する）に収容することが可能となり、また、細く丸めることによって、メガネのフレームに設けた細長い穴などに収容することが可能となり、対象物の所持などが容易となる。
【図面の簡単な説明】
【００１６】
【図１】本発明に従うＱＲコードを利用した情報管理システムの一実施形態を示す簡略図。
【図２】図２（ａ）は，図１の情報管理システムに用いるＱＲコードの一例を示す図であり、図２（ｂ）は、図２（ａ）のＱＲコードに含まれるＱＲデータの一例を示す図。
【図３】図３（ａ）〜（ｅ）は、ＱＲコードを施す種々の対象物を示す図。
【図４】ＱＲコードが施された対象物を収容する容器をメガネフレームに取り付けた例を示す斜視図。
【図５】ＱＲコードが施された対象物をメガネフレームに設け収容孔に収容する例を示す部分斜視図。
【図６】図１の情報管理システムの全体を簡略的に示すブロック図。
【図７】他の形態の情報管理システムの全体を簡略的に示すブロック図。
【図８】図８（ａ）は，更に他の形態の情報管理システムに用いるＱＲコードの一例を示す図であり、図８（ｂ）は、図８（ａ）のＱＲコードに含まれるＱＲデータの一例を示す図。
【発明を実施するための形態】
【００１７】
以下、添付図面を参照して、本発明に従うＱＲコードを利用した情報管理システムの一実施形態について説明する。図１において、図示の情報管理システムは、後述するＱＲコード１（図２（ａ）参照）を取り込むための携帯情報端末装置２（例えば、スマートフォン、タブレットなど）と、ＱＲコード１に含まれるＱＲデータ３（図２（ｂ）参照）と関連付けられた所定情報（例えば、電話番号、メールアドレス、住所、写真など）が登録されたサーバー装置４と、登録すべき所定情報を入力してＱＲコード１に含まれるＱＲデータ３と関連付けてサーバー装置４に登録するための情報端末装置６（例えば、パソコンなど）とを備え、これら携帯情報端末装置２、サーバー装置４及び情報端末装置６が、例えばインターネット回線８などの通信回線を通して通信接続される。
【００１８】
尚、図１では、理解を容易にするために、携帯情報端末装置２を２つ示しているが、多数の携帯情報端末装置２がサーバー装置４に通信接続可能である。また、この実施形態では、システムを管理する管理者１０（例えば、システム運営会社、システムを利用する施設など）側にサーバー装置４及び情報端末装置６を設置してシステムを運営しているが、このような適用例に限定されず、システムを管理する管理者１０（例えば、システム運営会社）側にサーバー装置４を設置し、システムを利用する利用者（例えば、システムを利用する施設など）側に情報端末装置６を設置し、利用者側でＱＲデータ３に関連する所定情報を入力するようにしてもよい。
【００１９】
この情報管理システムでは、サーバー装置４に登録された所定情報を取得するためにＱＲコード１が用いられる。図１とともに図２及び図３を参照して、ＱＲコード１は、例えば図２（ａ）に示すものであり、情報端末装置４に内蔵されたＱＲコード変換手段１２により作成され（図６参照）、図２（ａ）のＱＲコード１は、例えば図２（ｂ）に示すＱＲデータ３を含んでいる。尚、情報端末装置４には、例えばＱＲコード変換用ソフトウェアがインストールされ、このＱＲコード変換用ソフトエェアでデータ処理するデータ処理手段６６（図６参照）がＱＲコード変換手段１２として機能する。
【００２０】
例えば、情報端末装置６により図２（ｂ）で示す情報を入力し、この入力した情報をＱＲコード変換手段１２によりＱＲコード変換し、変換したＱＲコード１を例えば印刷紙に出力すると、印刷紙の表面に図２（ａ）に示すＱＲコード１が印刷される。
【００２１】
図２（ｂ）に示すＱＲデータ３は、例えば、徘徊老人などの身元確認（又はペット動物の飼い主確認など）に用いるものであり、このＱＲデータ３には、連絡のお願いと感謝の言葉部分１４と、サーバー装置４に登録された所定情報に導くためのＵＲＬ部分１６とを含み、この例では、ＵＲＬ部分１６は、グループを特定するためのグループデータ１８（例えば、介護施設、介護病院、グループホームなどに関するデータ）と、個人を特定するための個人データ２０（例えば、個人名、個人の電話番号、個人の住所、個人の写真などに関するデータ）とを含んでいる。この場合、図２（ｂ）のＱＲデータ３のＵＲＬ部分１６をクリックすると、後述するようにサーバー装置４に登録された所定情報に導かれ、この所定情報が携帯情報端末装置２に送られて表示され、表示された所定情報にはグループ情報（例えば、介護施設名、介護施設の電話番号など）に関する情報と個人情報（例えば、個人名、個人の連絡先及び個人の写真など）が含まれ、個人情報にその個人の写真を含めることによって、本人確認をすることができる。
【００２２】
尚、このＱＲデータ３に個人データ２０を含めないようにするためには、ＵＲＬ部分１６に含まれる情報としてグループを特定するためのグループデータ１８のみとすればよく、この場合、ＱＲデータ３のＵＲＬ部分１６をクリックすると、携帯情報端末装置２に送られる所定情報はグループ情報（例えば、介護施設名及びその電話番号など）に関するものとなり、個人に関する情報が送られることはない。
【００２３】
このようなＱＲコード１は、図３（ａ）〜（ｅ）に示すような各種形態で提供することができる。図３（ａ）に示す形態では、プラスチック製のカード２０を用い、このカード２０の例えば右下部にＱＲコード１が設けられており、例えば、カード２０の表面にＱＲコード１が施されたシールを貼付することによって形成される。
【００２４】
また、図３（ｂ）に示す形態では、金属製のカンバッチ２２を用い、このカンバッチ２２の中央部にＱＲコード１が設けられており、例えば、カンバッチ２２の表面にＱＲコード１が施されたフィルムを圧着することによって形成され、このようなカンバッチ２２は、図１に示すように、徘徊老人の衣服に取り付けて使用される。
【００２５】
また、図３（ｃ）に示す形態では、ユニフォームタイプのストラップ本体２４が用いられ、このストラップ本体２４の胴部にＱＲコード１が設けられており、例えば、ストラップ本体２４の胴部にＱＲコード１が施されたシールを貼付することによって形成される。
【００２６】
また、図３（ｄ）に示す形態では、透明な材料から形成された収容袋２６が用いられ、この収容袋２６内にＱＲコード１が施された印刷紙２８（又はプラスチック製シートなど）が例えば二つ折りでもって収容され、このような収容袋２６は、例えば紐３０を長くして徘徊老人の首に掛けるようにして使用される。このような収容袋２６は、紐３０を用いることなく、衣服などに縫い付けるようにしてもよい。
【００２７】
また、図３（ｅ）に示す形態では、細長い筒状収容体３２（例えば、透明なプラスチックなどから形成される）が用いられ、この筒状収容体３２にＱＲコード１が施された印刷紙３４（又はプラスチック製シートなど）が細く巻いた状態で収容されており、例えば筒状収容体３２を衣服などに縫い付けるようにして使用され、或いは図１に示すように、犬などのペット動物の首輪３３に取り付けるようにして使用される。
【００２８】
更に、図４に示す形態では、図３（ｅ）で示す筒状収容体３２をメガネフレーム３６の内側に例えば接着剤によって固着し、かく取り付けた筒状収容体３２内にＱＲコードが施された印刷紙が収容され、このように例えばメガネフレーム３６を利用することによって、特別な携帯物を必要とせずにＱＲコード１が施された対象物（印刷紙、プラスチック製シートなど）を身体に付けて持ち歩くことができる。
【００２９】
更にまた、図５に示す形態では、メガネフレーム３６の耳掛け部３８に細長い収容孔４０を設け、この収容孔４０にＱＲコードが施された印刷紙４２を収容するように構成され、この場合、メガネフレーム３６自体が携帯物として機能し、対象物を収容のための専用収容物を必要とせずに身体に付けて持ち歩くことができる。
【００３０】
ＱＲコードが施された印刷物２８（３４）は、二つ切り又は四つ切りなどして小さく切断して小さな容器（図示せず）に収容して持ち歩くようにしてもよく、この場合、小さな容器として例えばボタン形のものを利用し、このボタン形の容器を衣服のボタンとして用いて身に付けるようにしてもよい。このようなＱＲコードは、シールに印刷することによって、各種所持品、例えば杖（例えば、柄の部分）、腕時計（例えば、腕時計本体の裏面）などに貼付して使用することもできる。
【００３１】
このような情報管理システムは、例えば、図６に示すシステムとして適用することができる。図６において、図示のサーバー装置４は、各種データを処理するためのデータ処理手段５２及び上述した所定情報を登録するデータ記憶手段５４を備え、データ処理手段５２は、例えばＣＰＵなどから構成され、データ記憶手段５４は、例えばＨＤＤ装置などから構成される。図示のデータ処理手段５２は、上述した所定情報をデータ記憶手段５４に登録するためのデータ登録手段５６、データ記憶手段５４に登録された所定情報を読み出すためのデータ読出し手段５８、データ記憶手段５４に登録された所定情報を削除するためのデータ削除手段６０と、データ記憶手段５４に登録された所定情報を修正登録するための修正データ登録手段６２とを有している。
【００３２】
この形態では、データ処理手段５２は、更に、所定情報の読出し回数（即ち、同一の所定情報についての読出し回数）を演算するための読出し回数演算手段６１と、所定情報を削除する削除信号を生成するための削除信号生成手段６３とを含み、データ記憶手段５４から同一所定情報を所定回数（例えば、１〜５回のうちの所定回数、例えば３回程度に設定される）読み出すと、削除信号生成手段６３は削除信号を生成し、この削除信号に基づいて、データ削除手段６０はこの所定情報をデータ記憶手段５４から削除する。このように所定回数読み出した後（例えば、一度でも読み出してシステムを利用した後）は、データ削除手段６０で登録された所定情報を削除し、新たに再登録する（即ち、新たなＱＲコード１を付与して管理する）ことにより、個人情報の流出を少なくすることができる。
【００３３】
このサーバー装置４は、更に、送受信手段６４を含み、この送受信手段６４を介してインターネット回線８に通信接続され、このインターネット回線８を通して携帯情報端末装置２及び情報端末装置６に通信接続される。
【００３４】
また、情報端末装置６は、データ処理手段６６、入力手段６８、表示手段７０及び出力手段７２を備えている。データ処理手段６６は、例えばＣＰＵから構成され、入力手段６８は、例えばキーボード７４、マウス７６及びカメラ手段７８などから構成され、表示装置７０は、例えば液晶表示装置などから構成され、出力手段７２は、例えばインクジェットプリンタ、レーザープリンターなどから構成される。
【００３５】
情報端末装置６のデータ処理手段６６は、上述したＱＲコード変換手段１２に加えて、サーバー装置４に登録する所定情報を作成するための登録データ作成手段８０と、ＱＲデータを作成するためのＱＲデータ作成手段８２と、登録データ作成手段８０により作成された所定情報とＱＲデータ作成手段８２により作成されたＱＲデータとを関連付けるためのデータ関連付け手段８３と、所定情報の一部を修正して変更データを作成するための変更データ作成手段８４と、ＯＲコード１を読み取るためのＱＲコードリーダ手段８５とを含んでいる。この情報端末装置６は、更に、送受信手段８６を含み、この送受信手段８６を介してインターネット回線８に接続され、インターネット回線８を介してサーバー装置４に通信接続される。
【００３６】
また、ＱＲコード１の取込み側となる携帯情報端末装置２は、データ処理手段８８、カメラ手段９０、入力手段９２及び表示手段９４を備え、データ処理手段８８は、例えばＣＰＵから構成され、表示手段９４は、例えば液晶表示装置から構成され、また入力手段９２は、例えば表示手段９４を利用したタッチパネル式のものから構成されている。また、データ処理手段８８は、ＱＲコード１を読み取るためのＱＲコードリーダ手段９６、サーバー装置４に登録された所定情報を読み出すデータ読出し信号を生成するためのデータ読出し信号生成手段９８及び読み出した登録所定情報を処理するための登録データ処理手段１００とを含んでいる。この携帯情報端末装置２は、更に、送受信手段１０２を含み、この送受信手段１０２を介してインターネット回線８に接続され、インターネット回線８を介してサーバー装置４に通信接続される。尚、ＱＲコードリーダ手段８５，９６については、ＱＲコードを読み取るためのＱＲコード読取り用ソフトウェアをインストールすることによりＣＰＵ（換言すると、データ処理手段６６，８８）をそのように機能させることができる。
【００３７】
次に、主として図１、図２及び図６を参照して、この情報管理システムの運用について説明する。徘徊老人（又はペット動物など）側では、例えば図３〜図５に示すような種々の形態でもって、ＱＲコード１を付した対象物を所持して行動する。このＱＲコード１の作成は、例えば、情報端末装置６を用いて次のようにして行うことができる。即ち、情報端末装置６の入力手段６８を用いてＱＲデータ３を入力すると、ＱＲデータ作成手段８２は、例えば図２（ｂ）で示すＱＲデータ３を作成し、またこの入力手段６８により所定情報（グループ情報としての例えば介護施設名及びその電話番号、個人情報としての個人名、写真及び連絡先など）を入力すると、登録データ作成手段８０は、登録すべき所定情報を作成し、データ関連付け手段８３は、作成されたＱＲデータ３と作成された所定情報とを関連付け、かく関連付けられた所定情報は、インターネット回線８を介してサーバー装置４側に送られ、データ登録手段５６によりデータ記憶手段５４に登録される。尚、ＱＲデータ３の作成については、ランダムに記号を発生させるランダム記号発生手段（図示せず）をデータ処理手段６６に含ませ、このランダム記号発生手段により作成するようにしてもよく、このようにした場合、ＱＲデータ３の推測が困難となって個人情報の保護を図ることができる。
【００３８】
そして、作成されたＱＲデータ３は、ＯＱコード変換手段１２により、例えば図２（ａ）に示すＱＲコード１に変換され、変換されたＯＱコード１は、出力手段７２により例えば印刷紙（対象物）に出力され、徘徊老人（又はペット動物など）は、出力されたＱＲコード１が付された対象物を種々の形態で所持などする。尚、ＱＲコード１の印刷物は、情報端末装置６を管理する管理者１０側が管理用のために少なくとも一つ保管するようにするのが望ましい。尚、ＱＲコード１の保管に代えて、各ＱＲデータ３に対応する管理番号を付し、この管理番号でもってＱＲデータ３（即ち、ＱＲコード１）を管理するようにしてもよい。
【００３９】
また、ＱＲコード１の読み込みについては、例えば、携帯情報端末装置２（例えば、スマートフォン、タブレット）を用いて次のように行うことができる。即ち、携帯情報端末装置２のカメラ手段９０でＱＲコード１を撮影してその画像情報を取り込めばよく、このようにＱＲコード１を取り込むと、ＱＲコードリーダ手段９６によりこの画像情報の読取りが行われ、例えば図２（ｂ）で示すＱＲデータ３が携帯情報端末装置２の表示手段９４に表示される。
【００４０】
そして、この表示状態において、ＱＲデータ３のＵＲＬ部分１６をクリックする（例えば、ＵＲＬ部分１６をタップする）と、データ読出し信号生成手段９８がデータ読出し信号を生成し、このデータ読出し信号がインターネット回線８を介してサーバー装置４側に送られる。かくすると、サーバー装置４のデータ読出し手段５８は、送られたＱＲデータ３（具体的には、ＵＲＬ部分１６）に関連付けられた登録所定情報を読み出し、読み出された所定情報がインターネット回線８を介して携帯情報端末装置２側に送られる。
【００４１】
かくすると、携帯情報端末装置２の登録データ処理手段１００は、送られてきた所定情報を表示装置９４に表示し、その表示画面を見ることによって、ＱＲコード１を所持などしている徘徊老人の身元に関する情報（又はペット動物の飼い主に関する情報）、即ちグループ情報（例えば、介護施設名、介護施設の電話番号など）及び個人情報（個人名、写真、連絡先など）を知ることができ、かくして、個人の写真を見ることにより本人確認をすることができ、また介護施設、個人の連絡先などに連絡することによって、徘徊老人（又はペット動物）を介護施設（又は飼い主）などに引き渡すことができる。
【００４２】
この形態では、サーバー装置４において、データ読出し手段５８が所定情報の読出しを行うと、読出し回数演算手段６１は、その所定情報の読出し回数を演算し、同一の所定情報についての読出し回数が所定回数（例えば、３回）行われると、削除信号生成手段６３は、所定回数読み出された所定情報の登録を削除し、このように削除することにより、個人情報を含む所定情報が多数回繰り返し読み出されて広まるのを抑えることができる。
【００４３】
また、サーバー装置４に登録された所定情報の修正は、例えば、情報端末装置６を用いて次のように行うことができる。即ち、情報端末装置６のカメラ手段７８で修正すべき所定情報に対応するＱＲコード１を撮影して取り込み、ＱＲコードリーダ手段８５によりこのＱＲコード１を読み取り、ＱＲデータ３のＵＲＬ部分１６をマウス７６でクリックする。かくすると、上述した同様にしてサーバー装置４からＱＲデータ３（具体的には、ＵＲＬ部分１６）に関連付けられた登録所定情報が読み出され、読み出された所定情報がインターネット回線８を介して情報端末装置６側に送られて表示装置７０に表示される。尚、管理番号を用いて管理している場合、入力手段６８により管理番号を入力すると、上述したようにしてサーバー装置４からＱＲデータ３に関連付けられた登録所定情報が読み出され、この読み出された登録所定情報が表示装置７０に表示される。
【００４４】
そして、このような表示状態において、入力手段６８を操作して所定情報を修正することにより、変更データ作成手段８４は修正所定情報を作成し、作成した修正所定情報は前と同様のＱＲデータ３に関連付けられてサーバー装置４に送られ、修正データ登録手段６２によりデータ記憶手段５４に登録される。従って、施設名、個人の電話番号などが変更になったとき、上述したようにして所定情報の変更を行うことができる。
【００４５】
また、ＱＲコード１が付された対象物（印刷紙など）を紛失したときには、例えば、情報端末装置６を用いて所定情報の削除を次のように行うことができる。この場合、例えば、紛失した対象物のＱＲコード１と同じＱＲコード１の対象物（管理者１０側で管理しているもの）を取り出し、情報端末装置６のカメラ手段７８で取り出した対象物のＱＲコード１を撮影して取り込み、ＱＲコードリーダ手段８５によりこのＱＲコード１を読み取り、ＱＲデータ３のＵＲＬ部分１６をマウス７６でクリックする。尚、管理番号で管理している場合、この管理番号を入力手段６８で入力する。
【００４６】
かくすると、上述した同様に、サーバー装置４からＱＲデータ３（具体的には、ＵＲＬ部分１６）に関連付けられた登録所定情報（又は管理番号で関連付けられた登録所定情報）が読み出され、読み出された登録所定情報がインターネット回線８を介して情報端末装置６側に送られて表示装置７０に表示され、この表示内容を確認して入力手段６８で削除操作する。
【００４７】
このように削除操作すると、データ削除信号が情報端末装置６からインターネット回線８を介してサーバー装置４側に送られ、このデータ削除信号に基づいて、データ削除手段６０がデータ記憶手段５４に登録された所定情報（上記ＱＲデータ３に関連付けられた所定情報）を削除する。従って、紛失した対象物のＱＲコード１のＱＲデータ３に関連付けられた所定情報がサーバー装置４から削除され、紛失した対象物を拾った第三者がＱＲコード１の読込み動作を行っても、サーバー装置４側にはこのＱＲコード１に含まれたＱＲデータ３に関連する所定情報はなく、ＱＲコード１が施された対象物を紛失してもサーバー装置４側から所定情報が送られることがなく、従って、ＱＲコード１が付された対象物を紛失しても個人情報が漏れることはない。
【００４８】
上述した実施形態では、サーバー装置４のデータ処理手段５２にデータ削除手段６０及び削除信号生成手段６３を含め、同一の所定情報の読出しが所定回数行われると、削除信号生成手段６３により生成される削除信号に基づいてデータ削除手段６０がこの所定情報をデータ記憶手段５４から削除するように構成しているが、このようなデータ削除手段６０及び削除信号生成手段６３に代えて、同一所定情報の読出しを禁止する読出し禁止信号を生成するための読出し信号禁止信号生成手段と、この読出し信号禁止信号に基づいて所定情報の読出しを禁止するためのデータ読出し禁止手段とを設けるようにしてもよい。この場合、データ記憶手段５４から同一所定情報を所定回数（例えば、３回）読み出すと、読出し禁止信号生成手段は読出し禁止信号を生成し、この読出し禁止信号に基づいて読出し禁止手段は、その後のこの所定情報の読出しを禁止し、このように構成しても多数回のＱＲコード１の取込みによる所定情報を読み出しを防止し、このようにしても上述した同様に情報の漏洩を抑えることができる。
【００４９】
尚、この明細書を通して、データ削除手段６０又はデータ読出し禁止手段（図示せず）を一つの言葉として「データ削除又は読出し禁止手段」として表現しており、従って、データ削除又は読出し禁止手段は、所定情報を削除する機能（データ削除手段）又は所定情報の読出しを禁止する機能（データ読出し禁止手段）を備るものである。
【００５０】
また、上述した実施形態では、所定情報としてグループ情報及び個人情報を含むものに適用し、所定情報を削除する（又は読出し禁止する）ときに、この所定情報全体を削除する（又は読出し禁止する）ようにしているが、情報の漏洩に気を配る必要があるのは個人情報であり、従って、個人情報を含む所定情報については、次のようにしてもよい。
【００５１】
例えば、サーバー装置４に登録される所定情報として、グループ情報及び個人情報を含む第１所定情報と、グループ情報のみを含む第２所定情報とを含み、第１所定情報については、第１ＱＲコードの第１ＱＲデータと関連付けられ、また第２所定情報については、第２ＱＲコードの第２ＱＲデータと関連付けられる。このような場合、第１所定情報のうちの個人情報に関する部分のみ制限がかかるようにすることもできる。即ち、第２ＱＲコードの第２ＱＲデータに基づいてサーバー装置４から第２所定情報を読み出したときには、読み出した第２所定情報には個人情報が含まれてなく、このときには、データ削除又は読出し禁止手段により第２所定情報をサーバー装置４のデータ記憶手段５４から削除する（又は読出しを禁止する）必要はないが、第１ＱＲコードの第１ＱＲデータに基づいてサーバー装置４から第１所定情報を読み出したときには、読み出された第１所定情報には個人情報が含まれており、このときには、所定回数（例えば、１〜５回のうちの所定回数、例えば３回程度に設定される）の読出しが行われると、データ削除又は読出し禁止手段により第１ＱＲデータに対応する第１所定情報のうち個人情報（例えば、個人名及び個人の電話番号など）が削除又は読出し禁止され、このように構成することにより、第１所定情報のうち個人情報については削除又は読出し禁止となって見ることができなくなり、これにより個人情報の保護を図ることができる一方、第１所定情報のうちの残りの情報、即ちグループ情報については制限が働かずに見ることができ、個人情報の制限を掛けながらも徘徊老人の身元確認（又はペット動物の飼い主確認）についてのある程度の情報を知ることができる。
【００５２】
上述した実施形態では、個人情報の漏洩を抑制するために、サーバー装置４のデータ記憶手段５４における同じ所定情報を所定回数（例えば、３回）読み出したときに、その所定情報を削除又は読み出し禁止を行っているが、このような構成に代えて、又はこのような構成に加えて、サーバー装置４の所定情報を読み出す際に、読み出しに用いた携帯情報端末装置２に関する端末情報、例えばその電話番号、そのメールアドレスなどを取得してサーバー装置４に登録するようにしてもよい。
【００５３】
情報管理システムの他の実施形態では、携帯情報端末装置２Ａ及びサーバー装置６Ａに改良が施されている。尚、この他の実施形態において、上述した実施形態と実質上同一の構成要素には同一の番号を付し、その説明を省略する。
【００５４】
図７において、図示のサーバー装置４Ａにおいては、データ記憶手段５４Ａは、ＱＲコードに対応する所定情報（即ち、ＱＲコードに含まれるＱＲデータに関連付けられた所定情報）が登録されるＱＲコード対応情報記憶部１１２と、携帯情報端末装置２Ａの端末情報（例えば、携帯電話番号、メールアドレスなど）が登録される端末情報記憶部１１４とを含んでいる。また、データ処理手段５２Ａは、データ登録手段５６、データ読出し手段５８、データ削除手段６０及び修正データ登録手段６２に加えて、携帯情報端末装置２Ａの端末情報を読み取る読取り信号を生成するための読取り信号生成手段１１６と、携帯情報端末装置２Ａから読み取った端末情報をデータ記憶手段５４Ａの端末情報記憶部１１４に登録するための読取りデータ登録手段１１８とを含み、上述した実施形態における読出し回数演算手段６１及び削除信号生成手段６３は省略されている。
【００５５】
また、図示の携帯情報端末装置２Ａは、データ処理手段８８Ａ、カメラ手段９０、入力手段９２及び表示手段９４に加えて、各種情報を登録するためのデータ記憶手段１２０を含み、このテータ記憶手段１２０に携帯情報端末装置２Ａの端末情報（携帯電話番号、メールアドレスなど）が登録される。更に、データ処理手段８８Ａは、ＱＲコードリーダ手段９６、データ読出し信号生成手段９８及び登録データ処理手段１００に加えて、データ記憶手段１２０に登録された端末情報を読み出すためのデータ読出し手段１２２を含んでいる。この他の実施形態におけるその他の構成は、図１〜図６に示す実施形態と実質上同一でよい。
【００５６】
この他の実施形態の情報管理システムにおいて、携帯情報端末装置２のカメラ手段９０でＱＲコード１を取り込むと、ＱＲコードリーダ手段９６によりこの画像情報の読取りが行われ、上述したと同様に、表示装置９４にＱＲデータ３が表示される。
【００５７】
そして、この表示状態において、ＱＲデータ３のＵＲＬ部分１６をクリックする（例えば、ＵＲＬ部分１６をタップする）と、データ読出し信号生成手段９８がデータ読出し信号を生成し、このデータ読出し信号がインターネット回線８を介してサーバー装置４Ａ側に送られる。かくすると、データ記憶手段５４のＱＲコード対応情報記憶部１１２から所定情報を読み出す前に、読取り信号生成手段１１６が読取り信号を生成し、この読取り信号がインターネット回線８を介して携帯情報端末装置２Ａ側に送られ、この読取り信号に基づいてデータ読出し手段１２２がテータ記憶手段１２０から端末情報（携帯電話番号、メールアドレスなど）を読み出し、読み出された端末情報がインターネット回線８を通してサーバー装置４Ａに送られる。
【００５８】
このようにして端末情報がサーバー装置４Ａに送られると、読取りデータ登録手段１１８によりデータ記憶手段５４Ａの端末情報記憶部１１４に登録され、このように端末情報を登録することにより、個人情報を含む所定情報の送信先を管理することができ、その結果、個人情報を含む所定情報が拡がるのを抑えることができる。
【００５９】
このように端末情報の登録が行われると、サーバー装置４のデータ読出し手段５８は、ＱＲデータ３（具体的には、ＵＲＬ部分１６）に関連付けられた登録所定情報を読み出し、読み出された所定情報がインターネット回線８を介して携帯情報端末装置２側に送られ、かくして、上述したと同様に、この所定情報を見て徘徊老人の身元確認（又はペット動物の飼い主確認）を行い、その連絡際に連絡することができる。
【００６０】
この実施形態では、サーバー装置４に登録された所定情報を読み出す前に携帯情報端末装置２の端末情報（携帯電話番号、メールアドレスなど）を読み取ってサーバー装置４に自動的に記憶するようにしているが、このような構成に代えて、管理者１０が携帯情報端末装置２の所有者に関する情報（名前、住所、携帯電話番号など）を聞き取り、かかる情報を取得した後に、この携帯情報端末装置２にサーバー装置４に登録された所定情報をインターネット回線８を介して送信するようにしてもよく、このように構成しても、サーバー装置４に登録された所定情報（個人情報）の保護を図ることができる。
【００６１】
以上、本発明に従う情報管理システムの実施形態について説明したが、本発明は、かかる実施形態に限定されるものではなく、本発明の範囲を逸脱することなく種々の変形乃至修正が可能である。
【００６２】
例えば、上述した実施形態では、この情報管理システムを徘徊老人（ペット動物）の身元確認用のシステムに適用して説明したが、本発明はこれに限定されず、ＱＲコードを利用して情報を管理するための種々のシステム、例えば工場のラインにおける各製造工程の製造工程情報、製造工程マニュアルなどを管理するためのシステムなどに適用することができる。
【００６３】
このようなシステムでは、例えば、図８（ａ）に示すように、製造工程の指示書２０２にＱＲコード２０４が付され、指示書２０２に指示内容が記載されているとともに、この指示内容では製造工程に関する情報を充分に理解できないときに、ＱＲコード２０２を利用して、製造工程に関する所定情報をサーバー装置のデータ記憶手段から上述したと同様にして読み出される。
【００６４】
また、このＱＲコード２０４に含まれるＱＲデータ２０６としては、例えば図８（ｂ）で示す通りであり、ＱＲコード２０４を携帯情報端末装置のカメラ手段で取り込んで読み取ると、このＱＲデータ２０６が携帯情報端末装置の表示手段に表示される。そして、この表示状態において、ＱＲデータ２０６のＵＲＬ２０８をクリックする（又はタップする）と、インターネット回線を介してサーバー装置に通信接続され、このサーバー装置のデータ記憶手段に登録された所定情報（ＱＲデータ２０６に関連付けられた製造工程に関する所定情報）が読み出され、この読み出された所定情報が携帯情報端末装置側に送られてその表示手段に報じされ、このようにしてＱＲコードを利用した製造工程の情報を管理する情報管理システムを提供することができる。尚、サーバー装置に登録される所定情報としては、文字情報、文字情報と写真の組合せ情報、文字と動画の組合せ情報、文字、写真及び動画の組合せ情報などの種々の情報を登録することができる。
【符号の説明】
【００６５】
１，２０４  ＱＲコード
２，２Ａ  携帯情報端末装置
３、２０６  ＱＲデータ
４，４Ａ  サーバー装置
６  情報端末装置
８  インターネット回線
１２  ＱＲコード変換手段
１６，２０８  ＵＲＬ部分
５２，６６，８８  データ処理手段
６１  読出し回数演算手段
６３  削除信号生成手段
８２  ＱＲデータ作成手段
８３  データ作成手段
８５，９６  ＱＲコードリーダ手段
【図１】
2015232789.tif 000003
【図２】
2015232789.tif 000004
【図３】
2015232789.tif 000005
【図４】
2015232789.tif 000006
【図５】
2015232789.tif 000007
【図６】
2015232789.tif 000008
【図７】
2015232789.tif 000009
【図８】
2015232789.tif 000010